【事件の表示】
　平成　７年特許願第２８０９４７号「肛門周辺清拭用組成物」拒絶査定不服審判事件〔平成　９年　５月１３日出願公開、特開平　９−１２４４５９〕について、次のとおり審決する。
【結　論】
　本件審判の請求は、成り立たない。
【理　由】
１．手続の経緯
　本願は、平成７年１０月２７日の出願であって、平成１６年３月１７日付で拒絶査定がなされ、これに対し、同年４月２２日に拒絶査定に対する審判請求がなされるとともに、同年５月２１日付で手続補正がされたものである。
　
２．平成１６年５月２１日付の手続補正についての補正却下の決定
　
［結論］
　　平成１６年５月２１日付の手続補正を却下する。
　
［理由］
（１）補正後の本願発明
　本件補正は、拒絶査定の対象である平成１５年５月２７日付け手続補正書により補正された特許請求の範囲の請求項１〜６、すなわち
　　　
「【請求項１】０.００１〜０.４重量％の抗菌剤、コハク酸、クエン酸、乳酸若しくは酢酸又はそれらの塩を含むｐＨ緩衝液、及び１.０〜５.０重量％の保湿剤を含有する水性成分と、油性成分と、界面活性剤とからなる肛門周辺清拭用組成物であって、
　該ｐＨ緩衝液は、該水性成分のｐＨを４.０〜６.０に調節し且つ該水性成分の１０倍希釈液３０ｍｌのｐＨを １.０上げるのに必要な１／１００規定水酸化ナトリウム水溶液の量が２〜１０ｍｌとなるような量含まれていることを特徴とする肛門清拭用組成物。
　【請求項２】上記肛門周辺清拭用組成物における上記水性成分と上記油性成分との配合割合（上記水性成分の重量部／上記油性成分の重量部）が１／９９〜６０／４０である請求項１記載の肛門周辺清拭用組成物。
　【請求項３】Ｗ／Ｏ型エマルジョン形態をとる請求項１又は２記載の肛門周辺清拭用組成物。
　【請求項４】２０℃における粘度が１〜２００ｃｐである請求項１〜３の何れかに記載の肛門周辺清拭用組成物。
　【請求項５】噴霧器に充填し、噴霧して使用される請求項１〜４の何れかに記載の肛門周辺清拭用組成物。
　【請求項６】噴霧器に充填し、噴霧して使用する際、泡状になる請求項１〜５の何れかに記載の肛門周辺清拭用組成物。」
を、
「【請求項１】０.００１〜０.４重量％の抗菌剤、コハク酸及びリン酸二ナトリウムを含むｐＨ緩衝液、及び１.０〜５.０重量％の保湿剤を含有する水性成分と、油性成分と、界面活性剤とからなる肛門周辺清拭用組成物であって、
　該ｐＨ緩衝液は、該水性成分のｐＨを４.０〜６.０に調節し且つ該水性成分の１０倍希釈液３０ｍｌのｐＨを １.０上げるのに必要な１／１００規定水酸化ナトリウム水溶液の量が２〜１０ｍｌとなるような量含まれていることを特徴とする肛門清拭用組成物。
　【請求項２】上記肛門周辺清拭用組成物における上記水性成分と上記油性成分との配合割合（上記水性成分の重量部／上記油性成分の重量部）が１／９９〜６０／４０である請求項１記載の肛門周辺清拭用組成物。
　【請求項３】Ｗ／Ｏ型エマルジョン形態をとる請求項１又は２記載の肛門周辺清拭用組成物。
　【請求項４】２０℃における粘度が１〜２００ｃｐである請求項１〜３の何れかに記載の肛門周辺清拭用組成物。
　【請求項５】噴霧器に充填し、噴霧して使用される請求項１〜４の何れかに記載の肛門周辺清拭用組成物。
　【請求項６】　噴霧器に充填し、噴霧して使用する際、泡状になる請求項１〜５の何れかに記載の肛門周辺清拭用組成物。」
に補正するものである。
　
　上記補正は、補正前の請求項１の「コハク酸、クエン酸、乳酸若しくは酢酸又はそれらの塩を含むｐＨ緩衝液」を、コハク酸及びリン酸二ナトリウムを含むｐＨ緩衝液に限定したものであるから、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）引用例
　原査定の拒絶の理由に引用された特開平３−２６４５２０号公報（以下、引用例１という。）、特開平２−１５２９２０号公報（以下、引用例２という。）には、皮膚清浄・清拭剤組成物に関して次の事項が記載されている。
　　
引用例１
　　
ア．
 本発明の皮膚清浄・清拭剤組成物に用いる（Ａ）成分たる油は、例えば……スクワラン、……グリセリントリ−２−エチルヘキサノエート……等が挙げられる。（２頁左下欄）
　　　
イ．
 （Ｂ）成分のシリコーンオイルとしては、例えばメチルポリシロキサン、……ジメチルポリシロキサンポリエチレングリコール共重合体、……等が挙げられる。（２頁右下欄）
　　
ウ．
 （Ｃ）成分の皮膚のｐＨを３〜６に調整しうる緩衝液としては、例えばクエン酸−クエン酸ナトリウム緩衝液、乳酸−乳酸ナトリウム緩衝液、コハク酸−コハク酸ナトリウム緩衝液、リン酸−水酸化ナトリウム緩衝液、酒石酸−水酸化ナトリウム緩衝液等が挙げられる。これらの中では、保湿効果の認められている乳酸−乳酸ナトリウム緩衝液を用いるのが好ましい。緩衝液の配合量は、組成物中１０〜９０重量％の範囲が好ましい。１０重量％より少ないと、皮膚ｐＨ調整能が充分ではない。（２頁右下〜３頁左上欄）
　　　
エ．
 本発明の皮膚清浄・清拭剤組成物には、更にグリセリン脂肪酸エステル、プロピレングリコール脂肪酸エステル、ソルビタン脂肪酸エステル……ポリオキシエチレン硬化ヒマシ油などの非イオン性界面活性剤を用い、乳化物として使用することが好ましい。（３頁左上欄）
　　
オ．
 皮膚清浄・清拭剤組成物の処方例
　　グリセリントリ−２−エチルヘキサノエート　　　　　１０ 　重量％
　　スクワラン　　　　　　　　　　　　　　　　　　　　　５ 　重量％
　　メチルポリシロキサン　　　　　　　　　　　　　　　３５ 　重量％
　　ジメチルシロキサン・メチル(ポリオキシエチレン)    　
　　シロキサン共重合体　　　　　　　　　　　　　　　　　１ 　重量％
　　セスキオレイン酸ソルビタン　　　　　　　　　　　　　０.３重量％
　　濃グリセリン　　　　　　　　　　　　　　　　　　　　３ 　重量％
　　ＰＥＧ４００　　　　　　　　　　　　　　　　　　　　７ 　重量％
　　乳酸−乳酸ナトリウム緩衝液（ｐＨ４、０.１モル） 　３８.７重量％　　　　　　　　　　　　　　　　　　　（３頁　実施例１の第１表）
　　　
カ．
 また、本発明の皮膚清浄・清拭剤組成物には上記必須成分のほかに、所望により、殺菌剤、消炎剤等の薬効剤、香料等を配合することができる。
　　　　　　　　　　　　　　　　　　　　　　（３頁左上〜右上欄）　　
キ．
  本発明の皮膚清浄・清拭剤組成物は皮膚に残った乾燥便を溶解し、拭きとるため、洗浄効果が高いものであった。また、肛門周辺部の皮膚のかゆみを軽減する等種々の保護効果も高いものであった。（５頁右上欄）
　　　
ク．
 本発明の皮膚清浄・清拭剤組成物は、乾燥便を良く溶解するため清拭効果が高く、肛門周辺部の皮膚のｐＨを酸性に戻すことにより肛門周辺部のかゆみを軽減する効果及び保護効果も高いものである。（５頁右上〜左下欄）
　
引用例２
　　
ケ．
 下記組成範囲の（１）〜（４）成分と精製水とを含有し、Ｗ／Ｏ型エマルジョン形態を有することを特徴とする皮膚の殺菌・清拭用組成物。
（１）合成油及び／又は鉱物油　　　　　　　　　２０〜７０重量％
（２）非イオン界面活性剤　　　　　　　　　　　　１〜２５重量％
（３）両性界面活性剤　　　　　　　　　　　　　　０〜　２重量％
（４）殺菌剤　　　　　　　　　　　　　　　０．００１〜１重量％
（特許請求の範囲の請求項１）
　　
コ．
　本発明組成物には、更に必要に応じて公知の各種消炎剤等の薬効剤、パラベン等の防腐剤…を添加配合することもできる。（３頁右下〜４頁左上欄）
　
（３）対比・判断
　引用例１の実施例１の組成物（摘記事項オ）は肛門周辺部の皮膚清浄・清拭剤として使用する組成物（摘記事項キ、ク）の例として記載されたものであって、配合成分中のグリセリントリ−２−エチルヘキサノエート、スクワラン、メチルポリシロキサン及びジメチルシロキサン・メチル（ポリオキシエチレン）シロキサン共重合体は油性成分に相当（摘記事項ア、イ）し、セスキオレイン酸ソルビタンは非イオン性界面活性剤であり、グリセリン及びＰＥＧ４００は水溶性の保湿剤であることは当業界において周知である。
　そうすると、該実施例１には、
「３８.７重量％の乳酸−乳酸ナトリウム緩衝液（ｐＨ４、０．１モル）、１０重量％の保湿剤（グリセリン及びＰＥＧ４００）の水性成分と、油性成分（グリセリントリ−２−エチルヘキサノエート、スクワラン、メチルポリシロキサン及びジメチルシロキサン・メチル（ポリオキシエチレン）シロキサン共重合体）と、界面活性剤（セスキオレイン酸ソルビタン）とからなる肛門周辺清拭用組成物」が記載されているものと認められる。以下、これを引用発明という。　
　
　本願補正発明と引用発明とを対比すると、両者は、
「ｐＨ緩衝液、保湿剤を含有する水性成分と、油性成分と、界面活性剤とからなる肛門周辺清拭用組成物であって、該ｐＨ緩衝液は、該水性成分のｐＨを４に調節している点」で一致し、以下の点で相違する。
　　
（相違点１）前者は０.００１〜０.４重量％の抗菌剤を含有しているの対して、後者は抗菌剤を含まない点。
　　
（相違点２）前者は保湿剤の含有量を１.０〜５.０重量％としているの対して、後者は１０重量％である点。
　　
（相違点３）前者はｐＨ緩衝液をコハク酸及びリン酸二ナトリウムを含み、その量を「該水性成分のｐＨを４.０〜６.０に調節し且つ該水性成分の１０倍希釈液３０ｍｌのｐＨを １.０上げるのに必要な１／１００規定水酸化ナトリウム水溶液の量が２〜１０ｍｌとなるような量含まれている」と特定しているのに対して、後者は乳酸−乳酸ナトリウム緩衝液（ｐＨ４、０.１ モル）を ３８.７重量％含む点
　
　そこで、これらの相違点について検討する。
　　　　
（相違点１）について
　引用例１（摘記事項カ）には、肛門周辺清拭用組成物には、殺菌剤（抗菌剤と同義）を配合しうることが記載され、且つ引用例２（摘記事項ケ）にも、清拭用組成物に殺菌剤を０.００１〜１ 重量％配合することが記載されているのであるから、上記引用例１記載の肛門周辺清拭組成物において、更に抗菌剤を０.００１〜０.４重量％の範囲で配合することは当業者が適宜なし得ることである。
　
（相違点２）について
　上記引用例１の組成物には、グリセリン及びＰＥＧ４００が合計量で１０重量％配合されているが、皮膚に適用する組成物ではグリセリン等の保湿剤の配合量の増減は当業者が実施にあたって適宜決定しうるものであるから、これを１.０〜５.０重量％の範囲に限定したことに格別の創意は要しない。
　　
（相違点３）について
　緩衝液について、引用例１（摘記事項ク、ウ）には、肛門周辺部の皮膚のｐＨを酸性（ｐＨ３〜６）に戻すことにより肛門周辺部のかゆみを軽減する効果及び保護効果を高くすることができるとされ、そのような緩衝能を付与する緩衝液の種類が種々挙げられ、その配合量について組成物中１０〜９０重量％の範囲が好ましいこと、すなわち、緩衝液の配合量は、皮膚に対するｐＨ調整能が十分に発揮される量で添加すべきことが記載されている。
　一方、本願補正後の明細書（段落【００１７】【００１８】）によれば、本願補正発明において「該水性成分の１０倍希釈液３０ｍｌのｐＨを１.０上げるのに必要な１／１００規定水酸化ナトリウム水溶液の量が２〜１０ｍｌとなるような量」とする限定は、ｐＨ緩衝液の量が皮膚のｐＨを４.０〜６.０に保つに足りる緩衝能を発揮するに十分なものであることを、上記の測定条件における水酸化ナトリウム水溶液の量によって表現したものであると解される。そうすると、皮膚のｐＨを所望の酸性の範囲に保つに十分な緩衝能を発揮する量という点では引用例１に記載の量と本質的に異なるものではない。
　また、本願発明では緩衝液の成分をコハク酸及びリン酸二ナトリウムとしているが、これらは緩衝液の成分として周知のものであるから、この二成分を特定することにも格別の創意を見いだすことはできない。
　
　したがって、本願補正発明は、引用例１及びに記載された発明に基づいて、当業者が容易に発明をすることができたものであるから、特許法第２９条第２項の規定により特許出願の際独立して特許を受けることができないものである。
　　
　そして、本願補正発明の効果にしても各引用例の記載から当業者が予測しうる範囲内のものである。
　
（４）むすび
　以上のとおり、本件補正は、特許法第１７条の２第５項で準用する同法第１２６条第５項の規定に違反するものであり、特許法第１５９条第１項で準用する特許法第５３条第１項の規定により却下すべきものである。
　
３．本願発明について
　平成１６年５月２１日付けの手続補正は上記のとおり却下されたので、本願の請求項１に係る発明（以下、同項記載の発明を「本願発明」という。）は、平成１５年５月２７日付手続補正書の特許請求の範囲の請求項１に記載されたとおりの以下のものである。
「０.００１〜０.４重量％の抗菌剤、コハク酸、クエン酸、乳酸若しくは酢酸又はそれらの塩を含むｐＨ緩衝液、及び１.０〜５.０重量％の保湿剤を含有する水性成分と、油性成分と、界面活性剤とからなる肛門周辺清拭用組成物であって、
　該ｐＨ緩衝液は、該水性成分のｐＨを４.０〜６.０に調節し且つ該水性成分の１０倍希釈液３０ｍｌのｐＨを １.０上げるのに必要な１／１００規定水酸化ナトリウム水溶液の量が２〜１０ｍｌとなるような量含まれていることを特徴とする肛門清拭用組成物。」
　
（１）引用例
　原査定の拒絶の理由に引用された引用例１及び２、及びその記載事項は、前記「２．（２）」に記載したとおりである。
　
（２）対比・判断
　本願発明は、前記２で検討した本願補正発明である「肛門周辺清拭用組成物」を包含する「肛門周辺清拭用組成物」であるから、前記「２．（３）」に記載した理由と同じ理由で、引用例１及び２に記載された発明に基づいて当業者が容易に発明をすることができたものである。
　
　なお、請求人は、平成１９年１１月９日付け上申書を提出し、本願発明を
「０.００１〜０.４重量％の抗菌剤、コハク酸及びリン酸二ナトリウムを含むｐＨ緩衝液、１.０〜５.０重量％の保湿剤並びにエチルパラベン及びプロピルパラベンを含有する水性成分と、油性成分と、界面活性剤とからなる肛門周辺清拭用組成物であって、
　該ｐＨ緩衝液は、該水性成分のｐＨを４.０〜６.０に調節し且つ該水性成分の１０倍希釈液３０ｍｌのｐＨを １.０上げるのに必要な１／１００規定水酸化ナトリウム水溶液の量が２〜１０ｍｌとなるような量含まれており、
　該水性成分と該油性成分との配合割合（該水性成分の重量部／該油性成分の重量部）が５／９５〜５０／６０であり、
　２０℃における粘度が１〜２００ｃｐであることを特徴とする肛門清拭用組成物。」
と補正する用意があるとの意思表示をしているが、上記の限定にしても、この技術分野の通常用いられている保存剤（上記(10)）や、通常の粘度、水性成分と油性成分の比の範囲であって格別なものではない。
　
（３）むすび
　以上のとおり、本願発明は、引用例１及び２に記載された発明に基づいて、当業者が容易に発明をすることができたものであるから、特許法第２９条第２項の規定により特許を受けることができない。
　
　よって、結論のとおり審決する。